(57)【要約】【課題】簡便にデータを閲覧できるようにする。【解決手段】ペン１３には、突起部２１が設けられている。本体１１には、突起部２１に対応する位置に、固定部３１が設けられている。本体１１は、表示装置である。ペン１３は、データを受信する機能を有し、また、その受信したデータを記憶する機能も有する。データが記憶されるとペン１３は、振動するなどして、データが受信されたことをユーザに認識させる。ユーザは、データが受信されたことを認識すると、ペン１３を本体１１に固定する。その固定は、ペン１３を本体１１に差し込むだけなど、簡便な操作で行える。ペン１３が本体１１に固定されると、ペン１３からデータが本体１１に供給され、本体１１は、供給されたデータに基づく表示を行う。本発明は、小型のパーソナルコンピュータなどに適用できる。【選択図】　　　図２
2004062250.tif 000002
【特許請求の範囲】
【請求項１】
データを記憶する記憶手段と、
前記データを前記記憶手段から読み出し、他の装置に出力する出力手段と、
前記他の装置の所定の部分を挟むことにより、前記他の装置に対して自身を固定させる固定手段と
を含み、
前記固定手段により前記他の装置に固定されているときに、前記出力手段は、前記記憶手段からデータを読み出し、前記他の装置に出力する
ことを特徴とする情報処理装置。
【請求項２】
前記固定手段は、Ｕ字型に構成されており、そのＵ字型を構成する一部分であり、前記他の装置と接する部分に、前記出力手段が設けられている
ことを特徴とする請求項１に記載の情報処理装置。
【請求項３】
前記記憶手段に記憶するデータを受信する受信手段と、
前記受信手段により前記データが受信され、前記記憶手段に前記データが記憶された場合、そのことをユーザに通知する通知手段と
をさらに含むことを特徴とする請求項１に記載の情報処理装置。
【請求項４】
他の装置が自身に固定されたとき、電源をオフの状態からオンの状態に切り換える切り換え手段と、
前記他の装置から供給されるデータを入力する入力手段と、
前記入力手段により入力された前記データに基づく表示を制御する表示制御手段と
を含み、
前記切り換え手段は、前記他の装置が自身に固定された状態のときに接する部分に設けられ、前記入力手段は、前記接する部分から前記データを入力する
ことを特徴とする表示装置。
【発明の詳細な説明】
【０００１】
【発明の属する技術分野】
本発明は情報処理装置および表示装置に関し、特に、データを記憶し、そのデータを表示するといった一連の処理を実行する装置に用いて好適な情報処理装置および表示装置に関する。
【０００２】
【従来の技術】
ＰＤＡ（Ｐｅｒｓｏｎａｌ　Ｄｉｇｉｔａｌ　Ａｓｓｉｓｔａｎｃｅ）や、持ち運び可能なコンピュータ（俗にモバイルコンピュータと称される）などが普及し、デジタルデータを持ち運ぶ機会が多くなってきている。
【０００３】
【発明が解決しようとする課題】
小型化された装置は、画面も小さくされているため、表示される内容によっては、見づらいときがあるといった問題があった。また、これらの装置は手軽に用いられるが、着脱自在の記録媒体（例えば、フレキシブルディスクなど）に記録されているデータを表示させるといった処理を行うときに、着脱し、表示させるための操作をするといったことが、手軽さに反して煩わしく、時間がかかる処理であることがあるといった問題があった。
【０００４】
本発明はこのような状況に鑑みてなされたものであり、簡便に情報の表示を行えるようにすることを目的とする。
【０００５】
【課題を解決するための手段】
本発明の情報処理装置は、データを記憶する記憶手段と、データを記憶手段から読み出し、他の装置に出力する出力手段と、他の装置の所定の部分を挟むことにより、他の装置に対して自身を固定させる固定手段とを含み、固定手段により他の装置に固定されているときに、出力手段は、記憶手段からデータを読み出し、他の装置に出力することを特徴とする。
【０００６】
前記固定手段は、Ｕ字型に構成されており、そのＵ字型を構成する一部分であり、他の装置と接する部分に、出力手段が設けられているようにすることができる。
【０００７】
記憶手段に記憶するデータを受信する受信手段と、受信手段によりデータが受信され、記憶手段にデータが記憶された場合、そのことをユーザに通知する通知手段とをさらに含むようにすることができる。
【０００８】
本発明の表示装置は、他の装置が自身に固定されたとき、電源をオフの状態からオンの状態に切り換える切り換え手段と、他の装置から供給されるデータを入力する入力手段と、入力手段により入力されたデータに基づく表示を制御する表示制御手段とを含み、切り換え手段は、他の装置が自身に固定された状態のときに接する部分に設けられ、入力手段は、接する部分からデータを入力することを特徴とする。
【０００９】
本発明の情報処理装置および表示装置においては、情報処理装置が、表示装置に固定された状態のときに、記憶されているデータが出力されるようにし、その固定に関わる処理は、簡便に行えるようにされている。
【００１０】
【発明の実施の形態】
以下に、本発明の実施の形態について図面を参照して説明する。図１Ａと図１Ｂは、本発明の表示装置を適用した表示装置１と、情報処理装置を適用したペン１３の一実施の形態の外観の構成を示す図である。図１Ａは、表示装置１の正面から見たときの図であり、図１Ｂは、背面から見たときの図である。図１Ａに示すように、表示装置１の本体１１には、表示部１２が設けられている。表示部１２は、例えば、ＬＣＤ（Ｌｉｑｕｉｄ　Ｃｒｙｓｔａｌ　Ｄｉｓｐｌａｙ）などで構成され、表示手段として機能する。
【００１１】
ペン１３は、本体１１を狭持するような構成とされている。以下の説明において、狭持とは、ペン１３の一部分が、本体１１の一部分を挟むことにより、ペン１３自体が、本体１１に対して固定される状態を意味するとする。ペン１３は、表示装置１を操作するために用いられるものとしても良いし、後述する機能を有する筆記具でも良い。本体１１は、薄型に構成されており、ペン１３で容易に狭持できるように構成されている。
【００１２】
図２は、ペン１３が本体１１を狭持する機構について説明するための図である。図２に示すように、ペン１３の一部はＵ字型に構成されており、そのＵ字型を構成する部分の一辺には、２つの突起部２１−１，２１−２が設けられている。ペン４は、このＵ字型の部分で本体１１を狭持する。
【００１３】
ペン１３が本体１１を狭持した状態のときに、突起部２１−１，２１−２が位置する本体１１の部分には、固定部３１−１，３１−２が設けられている。この突起部２１−１が固定部３１−１と、突起部２１−２と固定部３１−２が、それぞれ係合することにより、ペン１１は、本体１３に固定される。突起部２１は、ペン１３を本体１３に固定する固定手段として機能する。
【００１４】
図２に示した例では、２つの突起部２１−１，２１−２（以下、突起部２１−１，２１−２を個々に区別する必要がない場合、単に突起部２１と記述する。他の部分についても同様に記述する）を設ける構成としたが、２つ以外の、例えば１つでも良いし、その形状は、どのような形状でも良い。突起部２１の構成や形状に、固定部３１の構成や形状も合わされる。
【００１５】
図３は、本体１１の内部構成例を示す図である。表示部１２は、図１に示したように、ＬＣＤなどから構成される。表示部１２は、制御部４１の制御の下、その表示を行う。制御部４１は、ＲＯＭ（Ｒｅａｄ　Ｏｎｌｙ　Ｍｅｍｏｒｙ）４２に記憶されているプログラムやデータに基づき、本体１１の各部を制御する。スイッチ４３は、本体１１の電源のオン、オフを指示するものである。スイッチ４３は、電源のオン、オフの切り替えを行う切り換え手段として機能する。入出力部４４は、外部からのデータの入出力を行うものであり、データの入力手段として機能する。
【００１６】
図４は、ペン１３の内部構成例を示す図である。制御部５１は、ペン１３内の各部を制御する。その制御は、記憶部５２に記憶されているプログラムやデータに基づいて行われる。また記憶部５２には、通信部５３により受信されたデータも記憶される。記憶部５２は、ペン１３の記憶手段として機能する。
【００１７】
図３に示した本体１１の構成のうち、スイッチ４３と入出力部４４は、図２に示した本体１１に設けられている固定部３１の部分に設けることができる。また、図４に示したペン１３の構成のうち、通信部５３は、突起部２１の部分に設けることができる。図５に示したように、突起部２１と固定部３１は、接点を有するため、その接点を利用し、入出力部４４と通信部５３を設ける。通信部５３は、他の装置にデータを出力する出力手段として機能するとともに、データを受信する受信手段としても機能する。
【００１８】
図５に示したように、ペン１３の突起部２１が、固定部３１に固定されると、その突起部２１が、固定部３１に設けられたスイッチ４３の一部を押し下げることにより、スイッチ４３が導通するような構造とすれば、固定部３１以外の部分にスイッチ４３を別途設けなくてもよく、デザイン的にすっきりとしたものとなる。
【００１９】
また、本体１１の電源のオン、オフを、ペン１３の抜き挿しの動作だけで管理することが可能となる。
【００２０】
図５に示したような構成としたときに、スイッチ４３を金属で構成し、ペン１３の突起部２１のスイッチ４３と接する部分も金属で構成することにより、入出力部４４と通信部５３の間で、データの授受を行うように構成することができる。固定部３１にスイッチ４３を構成しなくても、突起部２１と固定部３１が接する部分を金属で構成しておき、その金属部分を介してデータの授受が行われるようにしても良い。
【００２１】
上述した説明においては、突起部２１と固定部３１が接するとして説明したが、完全（密接）に接するとしても良いし、多少の隙間がある状態で接するようにしても良い。換言すれば、突起部２１と固定部３１は、物理的に接するというよりも、データの授受ができる状態になるほど、近接する状態になればよく、そのように構成されればよい。
【００２２】
スイッチ４３を図５に示したような物理的な構成し、そのスイッチ４３と接する部分で、入出力部４４と通信部５３がデータの授受を行えるようにしても良いが、必ずしも物理的な構成としなくても良く、物理的な構成に限定されるものではない。
【００２３】
例えば、スイッチ４３は、ペン１３からデータが出力されたことに反応してオン、またはオフされるようにしても良い。ペン１３からは、記憶部５２に記憶されているデータを出力するときには、本体１１の電源をオンにするというコマンドを送信するという設定しておいても良い。
【００２４】
また、入出力部４４と通信部５３は、無線によりデータの授受を行うようにしても良いし、ケーブルによる接続など有線によりデータの授受を行うようにしても良い。従って、必ずしも、入出力部４４と通信部５３は、それぞれ固定部３１と突起部２１に設けられる必要はなく、その構成は、適宜変更可能である。
【００２５】
このような構成をもつ本体１１とペン１３から構成される表示装置１の動作について、図６のフローチャートを参照して説明する。ステップＳ１１においてペン１１は、データを取得し記憶部５２に記憶させる。このデータの取得は、ユーザの指示のもと行われるようにしても良いし、ユーザの指示によらず行われるようにしても良い。
【００２６】
ユーザの指示により行われる場合、例えば、ペン１３と図示されていないパーソナルコンピュータ（不図示）が、無線または有線で接続され、そのパーソナルコンピュータからデータが供給され、ペン１３に記憶される。この場合、データの授受は、通信部５３を用いて行われる。
【００２７】
ユーザの指示によらず行われる場合、例えば、ペン１３の通信部５３に、本体１１とデータの授受を行う機能の他に、他の装置から無線でデータを受信する機能を持たせ、通信部５３により受信されたデータが記憶されるようにする。他の装置から無線でデータを受信するようにした場合、受信したことを何らかの方法によりユーザに知らせる機能を備える方が、使い勝手を向上させることができる。
【００２８】
そこで、そのような機能をペン１３に設ける。図７に示すように、制御部５１により制御される通知部６１をペン１３に設ける。通知部６１は、通知手段として機能し、例えば、小型モータを備え、そのモータが回転することにより発生された振動により、ユーザにデータを受信したことを通知する。または、通知部６１は、発光体を備え、その発光体が、データを受信した際、発光することにより、ユーザにデータを受信したことを通知する。音を用いて通知するようにしても良い。
【００２９】
このように、データを受信したことをユーザに知らせる機能をペン１３に設けるようにした場合、ユーザが所定の部屋に入室してきたときに、データを供給し、そのことをユーザに認識させるといったことが可能となる。図８を参照するに、例えば、部屋の入り口に、データを送信するための送信機７１を備え付ける。その送信機７１は、常に、または、所定のユーザが入室してきたと感知したときのみなど所定のときに、データを送信する。
【００３０】
常にデータを送信するような場合としては、例えば、所定の店などで、その店の案内やメニューなどのデータを送信するといったようなことが考えられる。
【００３１】
所定のユーザが入室してきたと感知したときのみなど所定のときだけデータを送信するような場合としては、会社内で、所定の部署の人だけに、会議などのお知らせのデータを送信するといったようなことが考えられる。
【００３２】
所定の人だけにデータを送信するような場合、送信機７１とペン１３との間で、所定の人（ペン１３）だと認証できる機能を持たせる必要があり、その機能を用いて、データが送信される前の段階で、認証などの処理が行われ、所定のユーザであると認証された後に、データが送信されるようにする。認証を行うための情報は、ペン１３の記憶部５２で記憶されるようにすればよい。
【００３３】
このようにしてデータが通信部５３により受信されると、制御部５１は、通知部６１（図７）を制御してユーザにデータを受信したことを通知する。このような通知に関する処理を実行させる一方で、制御部５１は、通信部５３により受信されたデータを、記憶部５２に記憶させる。
【００３４】
図６のフローチャートの説明に戻り、ステップＳ１１において、ペン１３によりデータの取得が行われ、その取得されたデータが、記憶部５２に記憶されると、ステップＳ１２に進む。ステップＳ１２において、ペン１３が本体１１に固定される。
【００３５】
ペン１３は、上述したように、データを取得すると、ユーザにそのことを通知する。その通知により、ユーザは、ペン１３にデータが記憶されていることを認識する。ユーザは、ペン１３にデータが記憶されていることを認識すると、ペン１３を本体１１に固定する処理を実行する。この固定は、図１および図２に示したように、ペン１３が本体１１を狭持することにより行われる。ユーザは、単に、ペン１３を本体１１の所定の部分、すなわち、固定部３１が設けられている部分に差し込む（スライドさせる）だけで、ステップＳ１２における固定の処理を実行できる。
【００３６】
このようにステップＳ１２において、本体１１にペン１３が固定されると、ステップＳ１３において、ペン１３は、記憶部５２に記憶されているデータを通信部５３を介して本体１１に出力する。
【００３７】
一方、ペン１３からデータが出力する前の段階のステップＳ２１において、本体１１は、ペン１１が固定されることにより、電源がオフの状態からオンの状態に切り換えられる。この電源の切り換えは、上述したように、図５に示したように物理的なスイッチ４３がペン１３の突起部２１により操作されることにより行われても良いし、ペン１３から、本体１１の電源をオンするためのデータが出力され、その出力に対応して本体１１の電源がオンにされるようにしても良い。
【００３８】
いずれにしても、ペン１３からデータが出力される前の段階で、本体１１の電源がオンの状態にされる。勿論、ユーザが本体１１の電源のオン、オフを管理できるようにし、ユーザにより電源がオンの状態にされるようにしても良い。
【００３９】
ステップＳ１３においてペン１３から記憶部５２に記憶されているデータが出力されると、そのデータは、本体１１の入出力部４４に入力される。本体１１は、ステップＳ２２において、入力されたデータの表示を開始する。本体１１の入出力部４４にデータが入力されると、制御部４１は、そのデータを一旦ＲＯＭ４２に記憶させる。その後、ＲＯＭ４２からデータを読み出し、表示部１２に、読み出したデータに基づく表示を開始する。
【００４０】
このように、ペン１３により受信されたデータを、ユーザは、単に、ペン１３を表示装置である本体１１に固定させるだけで、そのデータの内容を確認することができる。
【００４１】
本体１１は、上述したように、表示機能を有する装置であればよい。そこで、例えば、本体１１として、パーソナルコンピュータのディスプレイなどを用いることも可能である。例えば、図９に示すように、薄型のディスプレイ８１に、本体１１に設けられていた固定部３１と同様のものを設け、そこに、ペン１３を固定させることにより、上述したようなことを実現することが可能である。
【００４２】
このようにすることで、ペン１３に記憶されているデータを簡便に閲覧することが可能となる。すなわちこの場合、パーソナルコンピュータ自体の電源をオンの状態にし、起動された後に、ペン１３（この場合、記録媒体の役割を有する）に記憶（記録）されているデータを閲覧するための処理を実行するといったようなことを行わなくても良いため、操作性や利便性を向上させることが可能となる。
【００４３】
また、ペン１３の代わりに携帯電話を用いることも可能である。携帯電話は、図７に示した機能を少なくとも有している。携帯電話は、当然のことながら、通信部５３により実現される機能を有している。また、携帯電話は、電話がかかってきたときや電子メールを受信したときに、換言すれば、データを受信したときに、そのことをユーザに通知する機能、図７においては通知部６１の機能を有している。
【００４４】
また、携帯電話は、受信した電子メールを記憶する記憶部を有しており、その機能は、図７に示した記憶部５２の機能に相当する。勿論、携帯電話は、それらの機能を制御するための、図７に示した制御部５１の機能をはたす部分も備えている。
【００４５】
そこで、ペン１３の代わりに（ペン１３と同じように）、携帯電話により受信されたデータを本体１１やディスプレイ８１に表示させるようにしても良い。
【００４６】
例えば、携帯電話に突起部２１を設ける。この突起部２１は、基本的に、その大きさや形状は、ペン１３に設けられている突起部２１と同様の大きさであり、同様の形状である。折りたたみ式の携帯電話の場合、折りたたんだ状態で、本体１１を狭持できるように構成しておけば良い。
【００４７】
ペン１３の形状は、どのような形状でも良く、また、本体１１の形状も、どのような形状でも良い。上述した実施の形態においては、ペン１３が本体１１を狭持するとして説明したが、ペン１３が、本体１１に収納され、収納された状態で、それぞれの一部分が接することにより、データの授受が行われるような形状、構成としても良い。
【００４８】
【発明の効果】
以上の如く本発明の情報処理装置によれば、他の装置の所定の部分を挟むことにより、他の装置に対して自身を固定させ、その状態のときに、記憶しているデータを読み出し、他の装置に出力するようにしたので、記憶されているデータを、他の装置において簡便に閲覧させることが可能となる。
【００４９】
また本発明の表示装置によれば、他の装置が自身に固定されたとき、電源をオフの状態からオンの状態に切り換え、他の装置から入力されたデータに基づく表示を制御するようにしたので、他の装置に記憶されているデータを、簡便に閲覧させることが可能となる。
【図面の簡単な説明】
【図１】本発明を適用した情報処理装置の一実施の形態の構成を示す図である。
【図２】ペン１３が本体１１を固定する際の固定の仕方について説明する図である。
【図３】本体１１の内部構成例を示す図である。
【図４】ペン１３の内部構成例を示す図である。
【図５】本体１１とペン１３が接する部分の詳細を示す図である。
【図６】表示装置１の動作について説明する図である。
【図７】ペン１３の他の内部構成例を示す図である。
【図８】送信機７１とペン１３との関係を説明する図である。
【図９】ディスプレイ８１とペン１３との接続について説明する図である。
【符号の説明】
１　表示装置，　１１　本体，　１２　表示部，　１３　ペン，　２１　突起部，　３１　固定部，　４１　制御部，　４２　ＲＯＭ，　４３　スイッチ，　４４　入出力部，　５１　制御部，　５２　記憶部，　５３　通信部
【図１】
2004062250.tif 000003
【図２】
2004062250.tif 000004
【図３】
2004062250.tif 000005
【図４】
2004062250.tif 000006
【図５】
2004062250.tif 000007
【図６】
2004062250.tif 000008
【図７】
2004062250.tif 000009
【図８】
2004062250.tif 000010
【図９】
2004062250.tif 000011